(57)【特許請求の範囲】
【請求項１】
ディスク形記録媒体を通す挿入口を設けた機器本体と、
前記機器本体内に設けられかつ前記ディスク形記録媒体を保持する保持トレイと、を備えた記録媒体再生装置において、
前記挿入口を通して前記ディスク形記録媒体を機器本体内に挿入する際に、機器本体内に挿入されたディスク形記録媒体を前記保持トレイに案内する案内手段を備え、
前記案内手段は、前記ディスク形記録媒体の表面に交差する方向に沿って互いに間隔をあけた一対の案内突起を含む案内部を有し、前記案内突起は、前記ディスク形記録媒体を前記保持トレイに案内する際には、当該保持トレイを互いの間に挿入させることにより前記ディスク形記録媒体の表面に交差する方向への当該保持トレイの移動を規制することを特徴とする記録媒体再生装置。
【請求項２】
前記保持トレイは、前記ディスク形記録媒体を保持すると、このディスク形記録媒体の外縁と当接する縁部を備え、
前記案内手段は、前記挿入口を通して前記ディスク形記録媒体を機器本体内に挿入する際に、前記縁部より機器本体の内側に突出して、前記ディスク形記録媒体を前記保持トレイに案内することを特徴とする請求項１記載の記録媒体再生装置。
【請求項３】
前記案内部は、前記ディスク形記録媒体の中央に向かうにしたがって、前記ディスク形記録媒体の表面から徐々に離れるテーパ面を備えたことを特徴とする請求項１又は請求項２記載の記録媒体再生装置。
【請求項４】
前記案内手段は、機器本体に回動自在に設けられたアーム本体を備え、
前記案内部は、前記アーム本体の端部に設けられているとともに、
前記挿入口を通して前記機器本体に前記ディスク形記録媒体が挿入されるのに連動して前記案内部が前記縁部より機器本体の内側に突出することを特徴とする請求項１ないし請求項３のうちいずれか一項に記載の記録媒体再生装置。
【発明の詳細な説明】
【技術分野】
【０００１】
本発明は、例えば、ＣＤなどのディスク形記録媒体を機器本体内に収容し、この記録媒体に記録された情報を再生する記録媒体再生装置に関する。
【背景技術】
【０００２】
例えば、コンパクトディスク（以下、ＣＤと記す）などのディスク形記録媒体を複数枚収容し、これら複数のディスク形記録媒体から任意の一つのディスク形記録媒体の情報を再生する記録媒体再生装置が用いられている（例えば、特許文献１参照）。この種の記録媒体再生装置は、例えば、自動車などに搭載されるとともに、機器本体と、複数の保持トレイと、駆動機構と、光ピックアップなどを備えている。
【０００３】
機器本体は、箱状に形成されている。保持トレイは、それぞれ、平板状に形成されており、ディスク形記録媒体を保持する。複数の保持トレイは、互いに重ねられている。さらに、複数の保持トレイは、互いに接離自在に設けられている。複数の保持トレイは、機器本体内に収容されている。
【０００４】
駆動機構は、複数の保持トレイを前述した互いに重なる方向に沿って移動して、挿入されたディスク形記録媒体を保持する又は保持したディスク形記録媒体を排出する保持トレイを他の保持トレイから離す。また、駆動機構は、再生するディスク形記録媒体を保持した保持トレイを他の保持トレイから離す。
【０００５】
光ピックアップは、複数の保持トレイのうち任意に選択された一つの保持トレイに保持されたディスク形記録媒体の情報を再生する。
【０００６】
前述した構成の記録媒体再生装置は、より小型であることが望まれている。このため、本発明の出願人は、略Ｃ状のトレイ本体と、このトレイ本体の両端部及び中央部に設けられかつディスク形記録媒体の外縁部に係止する係止部材とを備えた保持トレイを提案している。
【特許文献１】
特開２００２−３０４８００号公報
【発明の開示】
【発明が解決しようとする課題】
［０００７］
しかしながら、前述した略Ｃ状のトレイ本体と複数の係止部材とを備えた保持トレイを用いると、挿入口と保持トレイのトレイ本体との間隔が大きくなり、挿入口を通して挿入したディスク形記録媒体を正しく保持トレイに案内できない場合が考えれる。
［０００８］
本発明の目的は、例えば、ディスク形記録媒体を保持トレイに確実に案内できる記録媒体再生装置を提案することにある。
【課題を解決するための手段】
【０００９】
前記課題を解決し目的を達成するために、本発明の記録媒体再生装置は、ディスク形記録媒体を通す挿入口を設けた機器本体と、前記機器本体内に設けられかつ前記ディスク形記録媒体を保持する保持トレイと、を備えた記録媒体再生装置において、前記挿入口を通して前記ディスク形記録媒体を機器本体内に挿入する際に、機器本体内に挿入されたディスク形記録媒体を前記保持トレイに案内する案内手段を備え、前記案内手段は、前記ディスク形記録媒体の表面に交差する方向に沿って互いに間隔をあけた一対の案内突起を含む案内部を有し、前記案内突起は、前記ディスク形記録媒体を前記保持トレイに案内する際には、当該保持トレイを互いの間に挿入させることにより前記ディスク形記録媒体の表面に交差する方向への当該保持トレイの移動を規制することを特徴としている。
【図面の簡単な説明】
［００１０］
［図１］本発明の一実施例にかかる記録媒体再生装置としてのＣＤチェンジャの外観を示す斜視図である。
［図２］図１に示されたＣＤチェンジャの互いに組み付けられた固定シャーシとディスク搬送部とディスク再生部とディスク収容部と分離機構を示す斜視図である。
［図３］図２に示された固定シャーシとディスク再生部とディスク収容部との一部を分解して示す斜視図である。
［図４］図３に示されたディスク収容部と駆動シャーシとの組み付け状態を示す斜視図である。
［図５］図２に示されたディスク収容部のホルダと離間溝拡縮機構とを示す斜視図である。
［図６］図５に示された離間溝拡縮機構を拡大して示す斜視図である。
［図７］図６に示された離間溝拡縮機構の移動部材が第２壁から最も離れて一つのホルダの突起と案内溝とが相対した状態を示す斜視図である。
［図８］図７に示された状態の離間溝拡縮機構のカム部材等を回転して突起を案内構の再生部に位置付けた状態を示す斜視図である。
【図９】図６に示された離間溝拡縮機構のカム部材が第２壁に最も近づいて一つのホルダの突起と案内溝とが相対した状態を示す斜視図である。
【図１０】図９に示された状態の離間溝拡縮機構のカム部材等を回転して突起を案内溝のローディング部に位置付けた状態を示す斜視図である。
【図１１】図６に示された離間溝拡縮機構を拡大して示す斜視図である。
【図１２】図１１に示された離間溝拡縮機構のカム部材と移動部材が最も上方に位置した状態を示す斜視図である。
【図１３】図１１に示された離間溝拡縮機構の移動部材が最も上方に位置しカム部材が中央部に位置した状態を示す斜視図である。
【図１４】図１１に示された離間溝拡縮機構を分解して示す斜視図である。
【図１５】図１に示されたＣＤチェンジャの保持トレイを示す斜視図である。
【図１６】図１に示されたＣＤチェンジャの保持トレイと案内機構の要部を拡大して示す斜視図である。
【図１７】図１６中のＡ−Ａ線に沿う断面図である。
【図１８】図１６中のＢ−Ｂ線に沿う断面図である。
【図１９】図６に示された離間溝拡縮機構のカム部材、回転部材及び移動部材をこれらの周方向に展開して示す展開図である。
【図２０】図１９に示されたカム部材の案内溝を一つのホルダの突起と相対させた状態を模式的に示す展開図である。
【図２１】図２０に示された状態からカム部材等を回転して、案内溝内に突起を挿入し始めた状態を模式的に示す展開図である。
【図２２】図２１に示された状態からカム部材等を更に回転して、案内溝のローディング部内に突起が位置した状態を模式的に示す展開図である。
【図２３】図２２に示された状態からカム部材等を更に回転して、案内溝のピックアップ侵入部内に突起が位置した状態を模式的に示す展開図である。
【図２４】図２３に示された状態からカム部材等を更に回転して、案内溝のクランプ部内に突起を位置付けた状態を模式的に示す展開図である。
【図２５】図２４に示された状態からカム部材等を更に回転して、案内溝の再生部内に突起を位置付けた状態を模式的に示す展開図である。
【図２６】図２５に示された下から２つ目のホルダの突起を案内溝の再生部内に位置付けた状態を模式的に示す展開図である。
【図２７】図２５に示された上から２つ目のホルダの突起を案内溝の再生部内に位置付けた状態を模式的に示す展開図である。
【図２８】図１９に示されたカム部材を第２壁に最も近づけた状態を模式的に示す展開図である。
【図２９】図２８に示されたカム部材の案内溝に一つのホルダの突起を相対させた状態を模式的に示す展開図である。
【図３０】図２９に示された状態からカム部材等を回転して、案内溝内に突起を挿入し始めた状態を模式的に示す展開図である。
【図３１】図３０に示された状態からカム部材等を更に回転して、案内溝のローディング部内に突起を位置付けた状態を模式的に示す展開図である。
【図３２】図３１に示された上から２つ目のホルダの突起を案内溝のローディング部内に位置付けた状態を模式的に示す展開図である。
【図３３】図３１に示された下から２つ目のホルダの突起を案内溝のローディング部内に位置付けた状態を模式的に示す展開図である。
【図３４】図１９に示された状態の連動移動機構を示す平面図である。
【図３５】図２０に示された状態の連動移動機構を示す平面図である。
【図３６】図２６に示された状態の連動移動機構を示す平面図である。
【図３７】図２７に示された状態の連動移動機構を示す平面図である。
【図３８】図２８に示された状態の連動移動機構を示す平面図である。
【図３９】図２９に示された状態の連動移動機構を示す平面図である。
【図４０】図３２に示された状態の連動移動機構を示す平面図である。
【図４１】図３３に示された状態の連動移動機構を示す平面図である。
【図４２】図１に示されたＣＤチェンジャの保持トレイと案内機構を示す平面図である。
【図４３】図４２に示されたＣＤチェンジャ内にＣＤが挿入され始めた状態を示す平面図である。
【図４４】図４３に示された状態からＣＤが更にＣＤチェンジャ内に挿入された状態を示す平面図である。
【図４５】図４４に示されたＣＤが保持トレイに保持された状態を示す平面図である。
【図４６】図１８に示された案内突起のテーパ面にＣＤが接触した状態を示す断面図である。
【図４７】図４６に示されたＣＤが案内突起間に位置付けられた状態を示す断面図である。
【符号の説明】
【００１１】
１  ＣＤチェンジャ（記録媒体再生装置）
２  ＣＤ（ディスク形記録媒体）
３  機器本体
１０  挿入口
１９  保持トレイ
８０ｂ  他端部（端部）
８２  第２の係止部材（係止部材）
８５ａ  内縁（縁部）
９１  案内機構（案内手段）
９２  アーム本体
９２ａ  一端部
９２ｂ  他端部
９３  当接部
９４  案内部
９５  コイルばね（付勢手段）
９６  案内突起（位置決め手段）
９７  テーパ面
【発明を実施するための最良の形態】
【００１２】
以下、本発明の一実施形態にかかる記録媒体再生装置を説明する。本発明の一実施形態にかかる記録媒体再生装置は、挿入口を通して機器本体に挿入されたディスク形記録媒体を保持トレイに案内する案内手段を設けたことで、機器本体の小型化のために保持トレイを小型化して、挿入口と保持トレイとの間隔が拡がっても、保持トレイにディスク形記録媒体を確実に案内でき保持できるようにしたものである。
【００１３】
また、案内手段が、保持トレイの縁部より内側に突出する案内部を備えても良い。
【００１４】
さらに、案内部が、互いの間のディスク形記録媒体の外縁部とディスク形記録媒体の表面に交差する方向に沿って間隔をあけた案内突起を備えても良い。
【００１５】
また、案内部が、ディスク形記録媒体の中央に向かうにしたがって、徐々にディスク形記録媒体の表面から離れるテーパ面を備えても良い。
【００１６】
さらに、案内部と保持トレイとを位置決めする位置決め手段を備えても良い。
【００１７】
さらに、案内手段が、回転自在なアーム本体と、アーム本体の端部に設けられた案内部とを備え、ディスク形記録媒体が挿入されるのに連動して案内部が保持トレイの縁部より内側に突出する方向にアーム本体を回転しても良い。
【実施例】
【００１８】
以下、本発明の一実施例にかかる記録媒体再生装置の一例としてのＣＤチェンジャ１を、図１ないし図４７に基づいて説明する。
【００１９】
図１などに示すＣＤチェンジャ１は、自動車などの移動体に装備されて、ディスク形記録媒体としてのＣＤ２（図２などに示す）を複数収容して、これらのＣＤ２から任意のＣＤ２に記録された情報を読み出（再生）して、音声として出力する装置である。本明細書に記したディスク形記録媒体即ちＣＤ２は、勿論、円板状即ちディスク状に形成されており、コンピュータなどの電子機器で読みとることのできる情報を記録した記録媒体である。
【００２０】
ＣＤチェンジャ１は、図２に示すように、機器本体３（図１に示す）と、図示しない操作部と、ディスク搬送部４と、ディスク再生部５と、収容部としてのディスク収容部６と、分離手段としての分離機構７と、案内手段としての案内機構９１（図４２に示す）を備えている。
【００２１】
なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００２２】
機器本体３は、板金からなる図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００２３】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。
【００２４】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述の保持トレイ１９を設定するために用いられる。操作部は、使用者に操作されることで、挿入口１０を通して機器本体３外に排出されるＣＤ２を保持した保持トレイ１９を設定するために用いられる。操作部は、使用者に操作されることで、複数の保持トレイ１９に保持されたＣＤ２のうち情報を読み出すＣＤ２を設定するために用いられる。
【００２５】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に昇降自在に指示された移動シャーシ１６に固定されたロードフレーム１００（図２などに示す）に取り付けられている。
【００２６】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の駆動源としてのモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２７】
ディスク再生部５は、機器本体３内に収容されており、図３に示すように、移動シャーシ１６と、揺動シャーシ１７と、移動手段としての移動機構６０と、図示しないピックアップ再生部と、を備えている。移動シャーシ１６は、板金などからなり、枠状に形成されている。移動シャーシ１６は、ディスク収容部６の保持トレイ１９の配列方向（互いに重なる方向）Ｋ（図２などに矢印で示す）に沿って移動自在に、固定シャーシ９の周板１２などに支持されている。
【００２８】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００２９】
移動機構６０は、図３などに示すように、第１のスライドシャーシ６１と、第２のスライドシャーシと、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。
【００３０】
水平部６４は、他端部が複数のＣＤ２間から抜け出た状態の揺動シャーシ１７の長手方向に沿ってスライド自在に前記底板１１に支持されている。水平部６４は、分離機構７の後述するモータ２０の駆動力により、他端部が複数のＣＤ２間から抜け出た状態の揺動シャーシ１７の長手方向に沿って移動する。鉛直片６５は、水平部６４の縁から上方即ち第２のスライドシャーシに向かって延びている。
【００３１】
第２のスライドシャーシは、板金からなり、平板状に形成されている。第２のスライドシャーシは、移動シャーシ１６と底板１１との間に配されているとともに、移動シャーシ１６に重ねられている。第２のスライドシャーシは、他端部が複数のＣＤ２間から抜け出た状態の揺動シャーシ１７の長手方向に沿ってスライド自在に移動シャーシ１６に支持されている。
【００３２】
また、第２のスライドシャーシには、前述した鉛直片６５が係止している。このため、第２のスライドシャーシは、鉛直片６５とともに、モータ２０の駆動力により、他端部が複数のＣＤ２間から抜け出た状態の揺動シャーシ１７の長手方向に沿って移動する。
【００３３】
揺動アーム６３は、板金からなり、平板状に形成されている。揺動アーム６３の平面形状は、図３に示すように、略く字状に形成されている。揺動アーム６３は、前述した移動シャーシ１６に中央部を中心として回転自在に支持されている。揺動アーム６３は、一端部が前述した第２のスライドシャーシに連結している。揺動アーム６３は、他端部が揺動シャーシ１７に回転自在に連結している。揺動アーム６３は、第２のスライドシャーシが前述した長手方向に沿ってスライドすると、中央部を中心として回転して、揺動シャーシ１７の一端部を中心として、該揺動シャーシ１７を揺動させる。
【００３４】
移動機構６０は、モータ２０の駆動力により、第１のスライドシャーシ６１と第２のスライドシャーシを移動させるとともに、揺動アーム６３を回転して、一端部を中心として揺動シャーシ１７を揺動させる。移動機構６０は、一端部を中心として揺動シャーシ１７を揺動することで、保持トレイ１９に保持されたＣＤ２の情報記録面と対向する位置に後述の光ピックアップ６６を移動する。
【００３５】
ピックアップ再生部は、揺動シャーシ１７にダンパやばねなどにより防振支持されたＣＲＧシャーシ上に設けられている。ピックアップ再生部は、ターンテーブルと、ピックアップ部などを備えている。ターンテーブルは、回転テーブルと、スピンドルモータと、複数のクランプ爪とを備えている。回転テーブルは、ＣＲＧシャーシの他端部に回転自在に支持されている。回転テーブルは、円板状に形成されており、表面上にＣＤ２が置かれる。
【００３６】
スピンドルモータは、ＣＲＧシャーシの他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。
【００３７】
ピックアップ部は、図３中に二点鎖線で示す再生手段としての光ピックアップ６６と、ピックアップ移動部とを備えている。光ピックアップ６６は、ターンテーブルに接離する方向に移動自在にＣＲＧシャーシに支持されている。光ピックアップ６６は、ターンテーブルに支持されたＣＤ２から情報を読み出す。即ち、光ピックアップ６６は、保持トレイ１９に保持されていたＣＤ２を再生する。再生時、ＣＤ２は、保持トレイ１９から厚み方向Ｚに退避する。ピックアップ移動部は、光ピックアップ６６をターンテーブルに接離させる。なお、接離とは、互いに近づいたり離れたりすることである。
【００３８】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップ６６が、ターンテーブルにより回転されたＣＤ２から情報を読み出す。
【００３９】
ディスク収容部６は、機器本体３内に収容されており、図３に示すように、第１壁としての移動シャーシ１８と、複数の保持トレイ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００４０】
保持トレイ１９は、底板１１と移動シャーシ１８との双方と平行な状態で、固定シャーシ９に昇降自在に支持されている。複数の保持トレイ１９は、底板１１と移動シャーシ１８とが互いに重なる方向（前述した矢印Ｋ）に沿って、後述のトレイ本体８０が互いに重ねられている。
【００４１】
保持トレイ１９は、図１５などに示すように、トレイ本体８０と、第１の係止部材８１と、第２の係止部材８２と、第３の係止部材８３とを備えている。トレイ本体８０は、合成樹脂からなり、板状に形成されている。トレイ本体８０は、保持部８４と、フランジ部８５とを一体に備えている。
【００４２】
保持部８４は、平板状に形成されている。保持部８４の平面形状は、（略）Ｃ字状（半環状、半リング状ともいう）に形成されている。このため、トレイ本体８０の平面形状は、（略）Ｃ字状に形成されている。また、保持部８４は、表面上にＣＤ２を位置付ける。このため、トレイ本体８０は、表面上にＣＤ２を位置付ける。
【００４３】
フランジ部８５は、保持部８４の外周側の外縁から立設しているとともに、該保持部８４の外周方向に延びている。このため、保持部８４上に位置付けられたＣＤ２は、フランジ部８５の縁部としての内縁８５ａと当接することで、保持部８４上に位置決めされる。このため、保持トレイ１９は、保持したＣＤ２の外縁と当接する内縁８５ａを備えている。トレイ本体８０は、保持部８４のＣ字状に形成された開口部が挿入口１０と相対する状態に配されている。
【００４４】
第１の係止部材８１は、合成樹脂からなり、帯板状でかつアーム状に形成されている。第１の係止部材８１は、トレイ本体８０の図１５中の左側に位置する一端部８０ａに位置するフランジ部８５にその長手方向の中央部８１ｃを中心として回転自在に支持されている。このため、第１の係止部材８１は、トレイ本体８０の一端部８０ａに回転自在に設けられている。
【００４５】
第１の係止部材８１は、図１５中手前側（トレイ本体８０の端側）に位置する一端部８１ａに係止部としての係止爪８６を設けている。第１の係止部材８１は、係止爪８６がフランジ部８５の内縁から保持部８４上に突出する図１５に示す係止位置と、係止爪８６がフランジ部８５の内縁に没して保持部８４上から退避する図示しない非係止位置とに亘って、回転自在である。
【００４６】
また、第１の係止部材８１は、トレイ本体８０に、係止位置と非係止位置とに亘る回転が許容されているとともに、前記係止位置と非係止位置を越えて回転することが規制されている。係止爪８６は、前述した係止位置で前記保持部８４即ちトレイ本体８０との間にＣＤ２の外縁部を位置付けて、該ＣＤ２の外縁部に係止する。このため、第１の係止部材８１は、トレイ本体８０の保持部８４上に位置付けられるＣＤ２の外縁部に係止する。
【００４７】
第２の係止部材８２は、合成樹脂からなり、帯板状でかつアーム状に形成されている。第２の係止部材８２は、トレイ本体８０の図１５中の右側に位置する他端部８０ｂに位置するフランジ部８５にその長手方向の中央部８２ｃを中心として回転及びスライド自在に支持されている。このため、第２の係止部材８２は、トレイ本体８０の他端部８０ｂに回転及びスライド自在に設けられている。
【００４８】
第２の係止部材８２は、図１５中手前側（トレイ本体８０の端側）に位置する一端部８２ａに係止部としての係止爪８７を設けている。第２の係止部材８２は、係止爪８７がフランジ部８５の内縁から保持部８４上に突出する図１５に示す係止位置と、係止爪８７がフランジ部８５の内縁に没して保持部８４上から退避する図示しない非係止位置とに亘って、回転及びスライド自在である。
【００４９】
また、第２の係止部材８２は、トレイ本体８０に、係止位置と非係止位置とに亘る回転が許容されているとともに、前記係止位置と非係止位置を越えて回転することが規制されている。係止爪８７は、前述した係止位置で前記保持部８４即ちトレイ本体８０との間にＣＤ２の外縁部を位置付けて、該ＣＤ２の外縁部に係止する。このため、第２の係止部材８２は、トレイ本体８０の保持部８４上に位置付けられるＣＤ２の外縁部に係止する。
【００５０】
さらに、第２の係止部材８２は、トレイ本体８０のフランジ部８５に取り付けられたねじりコイルばね８８により、前記係止爪８７がフランジ部８５の内縁から保持部８４上に突出する方向即ち係止位置に向かって付勢されている。すなわち、第２の係止部材８２は、係止爪８７がトレイ本体８０上のＣＤ２の外縁部に係止する（保持部８４の内側に向かう）方向に付勢されている。
【００５１】
第３の係止部材８３は、合成樹脂からなり、帯板状でかつアーム状に形成されている。第３の係止部材８３は、トレイ本体８０の前述した一端部８０ａと他端部８０ｂとの間の中央部８０ｃに位置するフランジ部８５にその長手方向の中央部８３ｃを中心として回転自在に支持されている。このため、第３の係止部材８３は、トレイ本体８０の一端部８０ａと他端部８０ｂとの間に回転自在に設けられている。
【００５２】
第３の係止部材８３は、図１５中奥側（トレイ本体８０の中央側）に位置する一端部８３ａに係止部としての係止爪８９を設けている。第３の係止部材８３は、係止爪８９がフランジ部８５の内縁から保持部８４上に突出する図１５に示す係止位置と、係止爪８９がフランジ部８５の内縁に没して保持部８４上から退避する図示しない非係止位置とに亘って、回転自在である。
【００５３】
また、第３の係止部材８３は、トレイ本体８０に、係止位置と非係止位置とに亘る回転が許容されているとともに、前記係止位置と非係止位置を越えて回転することが規制されている。係止爪８９は、前述した係止位置で前記保持部８４即ちトレイ本体８０との間にＣＤ２の外縁部を位置付けて、該ＣＤ２の外縁部に係止する。このため、第３の係止部材８３は、トレイ本体８０の保持部８４上に位置付けられるＣＤ２の外縁部に係止する。
【００５４】
さらに、第３の係止部材８３の他端部８３ｂは、第１の係止部材８１の他端部８１ｂより保持部８４寄り即ちトレイ本体８０の内側に配されているとともに、前記第１の係止部材８１の他端部８１ｂに当接する。また、第３の係止部材８３は、トレイ本体８０のフランジ部８５に取り付けられたねじりコイルばね９０により、前記係止爪８９がフランジ部８５の内縁から保持部８４上に突出する方向即ち係止位置に向かって付勢されている。すなわち、第３の係止部材８３は、係止爪８９がトレイ本体８０上のＣＤ２の外縁部に係止する（保持部８４の内側に向かう）方向に付勢されている。
【００５５】
また、第３の係止部材８３の他端部８３ｂが第１の係止部材８１の他端部８１ｂよりトレイ本体８０の内側に位置しかつ第１の係止部材８１の他端部８１ｂに当接しているので、前述したねじりコイルばね９０は、第１の係止部材８１を前記係止爪８６がフランジ部８５の内縁から保持部８４上に突出する方向即ち係止位置に向かって付勢している。このため、第１の係止部材８１は、係止爪８６がトレイ本体８０上のＣＤ２の外縁部に係止する（保持部８４の内側に向かう）方向に付勢されている。
【００５６】
さらに、第１の係止部材８１と、第３の係止部材８３は、同一のねじりコイルばね９０により付勢されている。このため、第３の係止部材８３と、第１の係止部材８１と第２の係止部材８２とのうち一方とは、同一のねじりコイルばね９０により付勢されている。
【００５７】
保持トレイ１９は、挿入口１０を通して機器本体３に挿入されたＣＤ２がトレイ本体８０の開口部を通して内側に侵入して保持部８４上に位置し、係止爪８６，８７，８９がＣＤ２の外縁部に係止することで、このＣＤ２を保持する。複数の保持トレイ１９は、各々が保持するＣＤ２の表面が互いに平行になるように、互いに重ねられて配されている。保持トレイ１９は、前記矢印Ｋに沿って昇降自在に固定シャーシ９などに支持されている。各々の保持トレイ１９のトレイ本体８０には、外方向に向かって突出した突起２９（図１５ないし図２５に示す）が設けられている。ディスク収容部６は、ＣＤ２を保持可能な複数の保持トレイ１９を積層配列して収容する。
【００５８】
分離機構７は、機器本体３内に収容されており、モータ２０（図３に示す）と、離間溝拡縮機構２１（図６ないし図１０に示す）と、連動移動機構２２（図３４ないし図４１に示す）とを備えている。モータ２０は、図３に示すように、固定シャーシ９に固定されている。
【００５９】
離間溝拡縮機構２１は、図５に示すように、３つ設けられており、機器本体３の隅部に設けられている。離間溝拡縮機構２１は、図６ないし図１４に示すように、円柱状に形成されており、回転部材２５と、移動部材２６と、カム部材２４とを備えている。
【００６０】
回転部材２５は、図１２ないし図１４に示すように、互いに同軸に配された円板部６８と、円柱部６９とを一体に備えている。円板部６８は、円板状に形成され、固定シャーシ９の底板１１に軸芯周りに回転自在に支持されている。円柱部６９は、円柱状に形成されており、円板部６８から立設している。
【００６１】
回転部材２５の軸芯は、前述した矢印Ｋと平行に配されている。回転部材２５は、円板部６８の外縁部に設けられた歯が底板１１に回転自在に設けられた複数の歯車６７に噛み合っている。回転部材２５は、歯車６７を介してモータ２０のピニオンと接続されたカム６７ｂ上のカム６７ａにより、モータ２０の駆動力により軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。
【００６２】
移動部材２６は、図１１ないし図１４に示すように、円管状に形成されており、回転部材２５の外周に取り付けられてこの回転部材２５と同軸に配されている。移動部材２６と回転部材２５とは、回転部材２５に設けられた突起７０と、移動部材２６に設けられたキー溝とからなるキーにより互いに取り付けられている。移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝７１が設けられている。また、移動部材２６は、前述した回転部材２５と一体に（連動して）前述した軸芯周りに回転する。
【００６３】
また、移動部材２６は、図６、図１９ないし図３３に示すように、第１壁としての移動シャーシ１８に取り付けられているとともに、第２壁２７ｂが設けられている。移動シャーシ１８と第２壁２７ｂは、移動部材２６の軸芯方向の両縁に設けられており、矢印Ｋと平行な軸芯に沿って互いに常に一定の間隔をあけて配されている。移動シャーシ１８と第２壁２７ｂは、移動部材２６の両縁から外周方向に突出している。
【００６４】
移動部材２６は、固定シャーシ９の底板１１から離れた側の縁に設けられた係止溝７１により移動シャーシ１８に取り付けられている。このことを、本発明では、第１壁としての移動シャーシ１８は、移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。
【００６５】
第２壁２７ａ，２７ｂは、回転部材２５と移動部材２６とに亘って設けられている。回転部材２５では、第２壁２７ａは、図１１ないし図１４に示すように、円板部６８の外縁から立設しており、断面形状が回転部材２５の軸芯を中心とした円弧状に形成されている。このため、第２壁２７ａは、円板部６８の外周に配されている。
【００６６】
移動部材２６では、第２壁２７ｂは、図１１ないし図１４に示すように、固定シャーシ９の底板１１寄りの縁（即ち、移動部材２６の下端）に設けられている。第２壁２７ｂは、移動部材２６の外周に配され、移動部材２６と同軸に配されている。第２壁２７ａ，２７ｂは、回転部材２５と移動部材２６とに亘って、面一に形成されている。第２壁２７ａ，２７ｂは、移動部材２６から回転部材２５に向かうにしたがって、移動シャーシ１８から徐々に離れる方向に、前述した矢印Ｋとこの矢印Ｋに対し直交する方向との双方に交差した方向に延びている。
【００６７】
また、前述した移動シャーシ１８と第２壁２７ａ，２７ｂとの間において、矢印Ｋに沿って互いの間にカム部材２４の後述のくさび部３０が位置付けられていない部分では、前述した移動シャーシ１８と第２壁２７ａ，２７ｂとの間隔は、保持トレイ１９の数と突起２９の矢印Ｋ方向の溝幅との積に等しい又は略等しい。
【００６８】
回転部材２５と移動部材２６は、前述した移動シャーシ１８と第２壁２７との間に、突起２９を位置付けて、前述した保持トレイ１９を保持する。また、回転部材２５と移動部材２６は、軸芯周りに回転することで、前述した移動シャーシ１８と第２壁２７との間で突起２９が後述の連結壁２８から接離するように矢印Ｋに対し交差する方向に沿って移動することを許容する。このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述の収容位置で、すべての保持トレイ１９の突起２９を、移動シャーシ１８と第２壁２７ａ，２７ｂとの間に位置付ける。
【００６９】
カム部材２４は、図１１ないし図１４に示すように、円管状に形成されており、移動部材２６の外周に取り付けられて、回転部材２５及び移動部材２６等と同軸に配されている。カム部材２４と移動部材２６とは、カム部材２４に設けられた突起７２と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。
【００７０】
さらに、カム部材２４の底板１１から離れた側の縁に係止溝７３が設けられている。カム部材２４の係止溝７３には、ディスク再生部５の移動シャーシ１６が係止して、取り付けられている。このため、カム部材２４は、移動シャーシ１６即ち前述した光ピックアップ６６と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。
【００７１】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、移動部材２６に向かうにしたがって、矢印Ｋに沿う溝幅が徐々に細くなるように形成されている。
【００７２】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢印Ｋに沿う幅と略等しい。案内溝３１は、図１９ないし図３３に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００７３】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７から離れた側に配されている。
【００７４】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７に近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に回転部材２５の第２壁２７に近づく方向に延びている。再生部３８は、第２連結部３７に連なり、この第２連結部３７の連結壁２８から離れた側に配されている。
【００７５】
案内溝３１は、開口部３２を通して、突起２９が侵入することを許容する。即ち、案内溝３１内には、突起２９即ち保持トレイ１９が摺動可能である。さらに、案内溝３１は、ローディング部３３と、ピックアップ侵入部３４と、第１連結部３５と、クランプ部３６と、第２連結部３７と、再生部３８内に順に突起２９が移動することを許容する。
【００７６】
ローディング部３３内に位置付けられた突起２９を設けた保持トレイ１９は、挿入口１０と矢印Ｙに沿って相対する。そして、ローディング部３３内に位置付けられた突起２９を設けた保持トレイ１９は、挿入口１０を通して挿入されたＣＤ２を保持できるとともに、挿入口１０を通して保持したＣＤ２を機器本体３外に排出できる。
【００７７】
ピックアップ侵入部３４内に位置付けられた突起２９を設けた保持トレイ１９は、図２中下方に位置する他の保持トレイ１９から離れて、この図中下方に位置する保持トレイ１９との間に揺動シャーシ１７の他端部即ちピックアップ再生部が侵入することを許容する。クランプ部３６内に位置付けられた突起２９を設けた保持トレイ１９は、保持したＣＤ２をディスク再生部５のターンテーブルがクランプすることを許容する。再生部３８内に位置付けられた突起２９を設けた保持トレイ１９は、ターンテーブルにクランプされたＣＤ２から離されて、ターンテーブルにより回転されるＣＤ２に干渉（接触）しない。即ち、ＣＤ２が回転することを許容する。
【００７８】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７とを互いに連結する格好になっている。
【００７９】
こうして、カム部材２４は、一つのＣＤ２を保持する保持トレイ１９の突起２９が摺動可能に係合する案内溝３１を有している。
【００８０】
前述した構成の回転部材２５と、移動部材２６と、カム部材２４とは、図１１に示すように、互いに同軸に配されている。また、移動部材２６と、カム部材２４とは、図１１ないし図１３に示すように、互いに独立して、矢印Ｋに沿って移動可能である。
【００８１】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持する保持トレイ１９より上方（矢印Ｋ１側）に位置する他の保持トレイ１９と係合する。
【００８２】
さらに、前述した第２壁２７とカム部材２４のくさび部３０との間は、本明細書に記した第２離間溝４０をなしている。第２離間溝４０は、第２壁２７とカム部材２４のくさび部３０の底板１１寄りの下面部とで構成されている。第２離間溝４０は、案内溝３１に係合する一つのＣＤ２を保持する保持トレイ１９より下方（矢印Ｋ２側）に位置する他の保持トレイ１９と係合する。
【００８３】
第１離間溝３９と第２離間溝４０は、案内溝３１に係合する一つのＣＤ２を保持する保持トレイ１９の他の保持トレイ１９の突起２９が侵入することを許容する（他の保持トレイ１９が係合する）。第１離間溝３９と第２離間溝４０は、本明細書に記した離間溝をなしている。第１離間溝３９と第２離間溝４０即ち離間溝は、一つのＣＤ２を保持する保持トレイ１９の他の保持トレイ１９が摺動可能に係合するとともに、カム部材２４と移動部材２６との相対的な移動により形成される。
【００８４】
第１離間溝３９と第２離間溝４０とは、カム部材２４と移動部材との相対的に矢印Ｋに沿って移動することで、互いに連動して矢印Ｋに沿った溝幅が可変する（拡がったり狭くなる）。カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。
【００８５】
また、第１離間溝３９の溝幅と第２離間溝４０の溝幅との和は、保持トレイ１９の数から１を引いて得られる数と一つの突起２９の矢印Ｋ方向の幅との積に等しい又は略等しい。前述した第１及び第２離間溝３９，４０即ち離間溝は、カム部材２４と移動部材２６との相対的な移動により矢印Ｋに沿った溝幅が可変する。即ち、第１及び第２離間溝３９，４０は、カム部材２４と移動部材２６との相対的な移動により矢印Ｋに沿った溝幅が相対的に可変する。
【００８６】
前述した構成によれば、移動シャーシ１８と第２壁２７との間に位置付けられたすべての保持トレイ１９の突起２９は、モータ２０の駆動力が複数の歯車６７を介して伝達されて、回転部材２５と移動部材２６とカム部材２４とが一体に（連動して）回転（移動）することで、一つの突起２９が案内溝３１内に侵入する。残りの突起２９のうち案内溝３１に侵入した突起２９より矢印Ｋ１（図６などに示す）側に位置する保持トレイ１９の突起２９が第１離間溝３９内に侵入し、案内溝３１に侵入した突起２９より矢印Ｋ２（図６などに示す）側に位置する保持トレイ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。
【００８７】
すべての保持トレイ１９の突起２９が、案内溝３１に侵入することなく連結壁２８に近づいて移動シャーシ１８と第２壁２７との間に位置する状態は、本明細書では、保持トレイ１９が収容位置に位置するという。また、カム部材２４のくさび部３０が連結壁２８と間隔をあけているため、収容位置では、第１離間溝３９と第２離間溝４０とは、一体になっている。したがって、収容位置では、複数の保持トレイ１９が互いに近接する。
【００８８】
突起２９が、案内溝３１の再生部３８内と、第１及び第２離間溝３９，４０の奥に侵入する状態は、本明細書では、保持トレイ１９が再生位置に位置するという。再生位置では、カム部材２４のくさび部３０により、前記案内溝３１内に突起２９が侵入した保持トレイ１９は、収容位置より他の保持トレイ１９から離れる。再生位置では、情報を再生するＣＤ２を保持した保持トレイ１９が他の保持トレイ１９から離れるとともに、情報を再生するＣＤ２を保持した保持トレイ１９と他の保持トレイ１９との間に光ピックアップ６６が侵入可能になる。
【００８９】
突起２９が、移動部材２６の第２壁２７と移動シャーシ１８との間に位置し、案内溝３１のローディング部３３内と、第１及び第２離間溝３９，４０に侵入した状態は、本明細書では、保持トレイ１９がローディング位置に位置するという。
【００９０】
また、前述した再生位置では、第１離間溝３９内に情報を再生するＣＤ２を保持した保持トレイ１９の矢印Ｋ１側の保持トレイ１９の突起２９が侵入する。第１離間溝３９は、前記矢印Ｋ１側の保持トレイ１９を、情報を再生するＣＤ２を保持した保持トレイ１９から離す。
【００９１】
さらに、再生位置とローディング位置では、第２離間溝４０内に情報を再生するＣＤ２を保持した保持トレイ１９の矢印Ｋ２側の保持トレイ１９の突起２９が侵入する。第２離間溝４０は、前記矢印Ｋ２側の保持トレイ１９を、情報を再生するＣＤ２を保持した保持トレイ１９から離す。
【００９２】
連動移動機構２２は、図３４などに示すように、駆動源としてのモータ４１（図３に示す）と、駆動シャーシ４２（図３及び図４に示す）と、第２駆動シャーシ５３（図３及び図４に示す）と、第１突起４３と、第１孔４４と、第２突起４５と、第２孔４６とを備えている。なお、図３には、駆動シャーシ４２と第２駆動シャーシ５３を２つずつ示しているが、実際には、駆動シャーシ４２と第２駆動シャーシ５３は一つずつ設けられている。
【００９３】
連動移動機構２２は、ディスク収容部６の保持トレイ１９を収容位置と再生位置とに亘って移動させる際には、移動部材２６を、回転部材２５に対し矢印Ｋに沿って移動して、回転部材２５から最も遠ざけておく。そして、連動移動機構２２は、再生位置に位置付けるＣＤ２を保持した保持トレイ１９の突起２９が案内溝３１に侵入できる位置に、カム部材２４を位置付ける。
【００９４】
連動移動機構２２は、ディスク収容部６の保持トレイ１９を再生位置とローディング位置とに亘って移動させる即ちＣＤ２を機器本体３内に出し入れする際には、カム部材２４を、移動部材２６に対し矢印Ｋに沿って移動して、回転部材２５に最も近づけておく。そして、連動移動機構２２は、ローディング位置に位置付けられた即ち出し入れされたＣＤ２を保持する保持トレイ１９の突起２９が案内溝３１に侵入できる位置に、移動部材２６を位置付ける。連動移動機構２２は、駆動源としてのモータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。
【００９５】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。
【００９６】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。
【００９７】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図４に示すように、第１突起４３が侵入する。
【００９８】
第１孔４４は、図３４ないし図４１に示すように、第１平行部４９と第１傾斜部５０とを備えている。第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に固定シャーシ９の底板１１に近づく方向に傾斜している。
【００９９】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【０１００】
第２孔４６は、第２傾斜部５１と第２平行部５２とを備えている。第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に固定シャーシ９の底板１１から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【０１０１】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【０１０２】
前述した連動移動機構２２は、駆動源としてのモータ４１の駆動力により、第２駆動シャーシ５３を矢印Ｋに対し直交する方向に沿って移動する。第２駆動シャーシ５３の動きに連動して、図３に示すリンクアーム１０１により第２駆動シャーシ５３と連結された駆動シャーシ４２は矢印Ｋに対し直交する方向に沿って移動する。
【０１０３】
このため、連動移動機構２２即ち分離機構７は、カム部材２４と移動部材２６との各々を矢印Ｋに沿って駆動（移動）する単一の駆動源としてのモータ４１を備えている。
【０１０４】
連動移動機構２２は、駆動源としてのモータ４１の駆動力により、保持トレイ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、駆動源としてのモータ４１の駆動力により、保持トレイ１９を再生位置と収容位置とに亘って移動する際には、第２突起４５が第２傾斜部５１内を移動し、第１突起４３が第１平行部４９内を移動する位置に駆動シャーシ４２を位置付ける。
【０１０５】
なお、連動移動機構２２により、第２突起４５が第２平行部５２内に位置付けられると、カム部材２４が最も回転部材２５の第２壁２７ａに近づく。最も回転部材２５の第２壁２７ａに近づいたカム部材２４の案内溝３１のローディング部３３内に突起２９が位置付けられた保持トレイ１９は、前述した挿入口１０を通して出し入れされるＣＤ２を保持できる位置に位置付けられる。
【０１０６】
案内機構９１は、図４２に示すように、アーム本体９２と、当接部９３と、案内部９４と、付勢手段としてのコイルばね９５と、を備えている。
【０１０７】
アーム本体９２は、棒状に形成されており、移動シャーシ１６に固定されたロードフレーム１００にその長手方向の中央部を中心として矢印Ｃ（図４２に示す）に沿って回転自在に支持されている。アーム本体９２は、ロードフレーム１００に取り付けられたレバーにより回動される。
【０１０８】
アーム本体９２は、揺動シャーシ１７が複数のＣＤ２即ち保持トレイ１９間から退避した状態で、挿入口１０寄りの一端部９２ａが挿入口１０を通して機器本体３内に挿入されたＣＤ２の外縁部と当接できる位置（図４２及び図４３に示す）と、アーム本体９２の挿入口１０から離れた側の他端部９２ｂが保持トレイ１９のフランジ部８５の内縁８５ａより機器本体３即ちＣＤ２の内側に突出した位置（図４４に示す）と、に亘って回転自在になっている。また、アーム本体９２は、前述した図４２及び図４３に示す位置と図４４に示す位置とから越えて回転することが前述したロードフレーム１００に取り付けられたレバー上のカムなどに規制されている。
【０１０９】
当接部９３は、アーム本体９２の前述した一端部９２ａに設けられている。当接部９３は、挿入口１０を通して機器本体３内に挿入されたＣＤ２が当接する。
【０１１０】
案内部９４は、アーム本体９２の前述した他端部９２ｂに設けられている。案内部９４は、図１６ないし図１８に示すように、一対の案内突起９６と、一対のテーパ面９７とを備えている。案内突起９６は、アーム本体９２の前述した他端部９２ｂに連なっているとともに、機器本体３内に挿入されるＣＤ２の表面に直交（交差）する方向に沿って、互いに間隔をあけて配されている。また、一対の案内突起９６は、前記挿入口１０を通してＣＤ２が出し入れされる方向に沿うように曲線状に延びている。
【０１１１】
さらに、揺動シャーシ１７が複数の保持トレイ１９即ちＣＤ２間から退避した状態で、一対のテーパ面９７は、案内突起９６それぞれの保持トレイ１９（若しくはＣＤ２）寄りの端部に設けられている。テーパ面９７は、揺動シャーシ１７が複数の保持トレイ１９即ちＣＤ２間から退避した状態で、保持トレイ１９（若しくはＣＤ２）に向かうにしたがって、一対の案内突起９６間の間隔を徐々に拡げる方向に傾斜している。このため、図４４に示すＣＤ２を機器本体３内に挿入する際には、テーパ面９７は、挿入口１０に向かうにしたがって、一対の案内突起９６間の間隔を徐々に拡げることとなり、ＣＤ２の中央に向かうにしたがって徐々にＣＤ２の表面から離れる方向に傾斜している。
【０１１２】
一対の案内突起９６は、当接部９３にＣＤ２が当接して、当接部９３が機器本体３の外側に向かう方向にアーム本体９２が矢印Ｃ１（図４３に示す）に沿って回転すると、図４４に示すように、保持トレイ１９のフランジ部８５の内縁８５ａより機器本体３の内側に向かって突出する。一対の案内突起９６は、フランジ部８５の内縁８５ａより機器本体３の内側に向かって突出すると、挿入口１０を通して機器本体３内に挿入されたＣＤ２を互いの間に位置付ける。さらに、案内突起９６は、ＣＤ２を機器本体３内に挿入する際に、ＣＤ２の表面に直交（交差）する方向に沿って、該ＣＤ２の外縁部と間隔をあけて配されている。
【０１１３】
さらに、一対の案内突起９６は、フランジ部８５の内縁８５ａより機器本体３の内側に向かって突出すると、前述したトレイ本体８０の他端部８０ｂに設けられた第２の係止部材８２を互いの間に位置付ける。即ち、一対の案内突起９６は、フランジ部８５の内縁８５ａより機器本体３の内側に向かって突出すると、前述したトレイ本体８０の他端部８０ｂを互いの間に位置付ける。なお、他端部８０ｂは、本明細書に記した保持トレイ１９の端部をなしているとともに、第２の係止部材８２は、本明細書に記した係止部材をなしている。このように、案内突起９６は、案内部９４がＣＤ２を保持トレイ１９に案内可能な位置に、案内部９４と保持トレイ１９とを位置決めする本明細書に記した位置決め手段をなしている。
【０１１４】
コイルばね９５は、一端がロードフレーム１００に取り付けられ、他端がアーム本体９２に取り付けられている。コイルばね９５は、アーム本体９２を案内部９４即ち一対の案内突起９６が機器本体３即ちＣＤ２の外側に向かう方向に付勢している。即ち、コイルばね９５は、案内部９４即ち一対の案内突起９６が内縁８５ａより機器本体３の外側に向かう方向に、アーム本体９２を矢印Ｃ２（図４２に示す）に沿って付勢している。
【０１１５】
前述した構成のＣＤチェンジャ１は、機器本体３内に収容した複数のＣＤ２のうち前述した操作部などにより任意に選択された一つのＣＤ２の情報を読み出す際には、図１９に示すように、モータ２０の駆動力によりすべての保持トレイ１９の突起２９を第２壁２７ｂ上の水平部Ａ（図１４、図１９及び図２０などに示す）上に位置付けておく。さらに、ディスク再生部５の揺動シャーシ１７の他端部即ちターンテーブルとピックアップ再生部を、複数のＣＤ２間から退避させておく。また、駆動源としてのモータ４１の駆動力により、図３４に示すように、第１突起４３が第１孔４４の第１平行部４９内に位置する位置に駆動シャーシ４２を位置付ける。そして、図１９に示すように、移動シャーシ１８を回転部材２５の第２壁２７ａから最も遠ざけておく。
【０１１６】
そして、駆動源としてのモータ４１の駆動力により、図３５に示すように、第２突起４５が第２孔４６の第２傾斜部５１内を移動して、情報が読み出される任意に選択された一つのＣＤ２を保持した保持トレイ１９の突起２９が案内溝３１に矢印Ｋに対し直交する方向に沿って相対する位置に、駆動シャーシ４２を位置付ける。そして、図７及び図２０に示すように、カム部材２４の案内溝３１の開口部３２を、矢印Ｋに対し直交する方向に沿って、情報が読み出される任意に選択された一つのＣＤ２を保持した保持トレイ１９の突起２９と相対させる。なお、図７及び図２０では、図中上から四つ目の保持トレイ１９の突起２９とカム部材２４に設けられた案内溝３１とを相対させている。
【０１１７】
そして、モータ２０の駆動力により、回転部材２５と移動部材２６及びカム部材２４を一体に回転させる。そして、すべての保持トレイ１９の突起２９が、連結壁２８から徐々に離れる。すると、図２１に示すように、情報が読み出される任意に選択された一つのＣＤ２を保持した保持トレイ１９の突起２９が、案内溝３１の開口部３２に侵入する。さらに、他のＣＤ２を保持した保持トレイ１９の突起２９が、カム部材２４のくさび部３０に接触するとともに、くさび部３０などにより、第１及び第２離間溝３９，４０内を移動する。
【０１１８】
さらに、モータ２０の駆動力により、回転部材２５と移動部材２６及びカム部材２４を一体に回転させると、図２２に示すように、情報が読み出される任意に選択された一つのＣＤ２を保持した保持トレイ１９の突起２９がローディング部３３内に位置する。
【０１１９】
その後、図２３に示すように、前述した一つのＣＤ２を保持した保持トレイ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。
【０１２０】
そして、前述した一つのＣＤ２を保持した保持トレイ１９の突起２９が、第１連結部３５内を通り、図２４に示すように、クランプ部３６内に位置する。このとき、ディスク再生部５のターンテーブルが前述した一つのＣＤ２をクランプする。この後、図１５に示す保持トレイ１９上の係止爪８６，８７，８９がフランジ部８５より外側に退避する。そして、前述した一つのＣＤ２を保持した保持トレイ１９の突起２９が、第２連結部３７内を通り、図８及び図２５に示すように、再生部３８内に位置する。
【０１２１】
さらに、前述した一つのＣＤ２の矢印Ｋ１側に位置するＣＤ２を保持した保持トレイ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持した保持トレイ１９の突起２９が、カム部材２４のくさび部３０により第２離間溝４０の奥即ち連結壁２８から離れた側に移動する。
【０１２２】
そして、図８及び図２５に示すように、カム部材２４のくさび部３０に設けられた案内溝３１により、前述した一つのＣＤ２を保持した保持トレイ１９が位置決めされる。さらに、カム部材２４のくさび部３０と、移動シャーシ１８及び第２壁２７とにより即ち第１及び第２離間溝３９，４０により、前述した一つのＣＤ２を保持した保持トレイ１９を他の保持トレイ１９から離す。さらに、他の保持トレイ１９を、第１及び第２離間溝３９，４０により、位置決めする。
【０１２３】
さらに、前述した一つのＣＤ２を保持した保持トレイ１９の突起２９が再生部３８内に位置すると、該保持トレイ１９が、ディスク再生部５のターンテーブルによりクランプされたＣＤ２から遠ざけられる。そして、保持トレイ１９にＣＤ２の回転が妨げられることが防止される。ターンテーブルがクランプしたＣＤ２を回転するとともに、ピックアップ再生部の光ピックアップ６６がＣＤ２の所望の位置から情報を読み出す。前述した一つのＣＤ２からの情報の読み出しを停止する際には、モータ２０の駆動力により、回転部材２５と移動部材２６及びカム部材２４を先ほどと逆向きに回転する。
【０１２４】
前述したように、分離機構７は、カム部材２４を矢印Ｋに沿って移動して、第１離間溝３９の溝幅と第２離間溝４０の溝幅とを連動して拡縮することで、所望のＣＤ２を保持した保持トレイ１９を位置決めするとともに他の保持トレイ１９から離す。このように、分離機構７は、一つのＣＤ２を保持した保持トレイ１９と他の保持トレイ１９とを、矢印Ｋに沿って、離間する。
【０１２５】
例えば、図２６に示すように、図中下から二番目のＣＤ２を保持した保持トレイ１９を再生位置に位置付ける際や、図２７に示すように、図中上から二番目のＣＤ２を保持した保持トレイ１９を再生位置に位置付ける際も同様である。なお、図２６及び図２７に示す状態では、図３６及び図３７に示すように、第１突起４３が第１平行部４９内に位置するとともに、第２突起４５が第２傾斜部５１内に位置する。
【０１２６】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つの保持トレイ１９に保持させる際には、図６、図９及び図２８に示すように、モータ２０の駆動力によりすべての保持トレイ１９の突起２９を第２壁２７ｂ上の水平部Ａ上に位置付けておく。さらに、ディスク再生部５の揺動シャーシ１７の他端部即ちターンテーブルとピックアップ再生部を、複数のＣＤ２間から退避させておく。
【０１２７】
そして、図３８に示すように、駆動源としてのモータ４１の駆動力により第２突起４５が第２孔４６の第２平行部５２内に位置する位置に駆動シャーシ４２を位置付ける。そして、図６、図９及び図２８に示すように、カム部材２４を回転部材２５の第２壁２７に最も近づけておく。
【０１２８】
そして、駆動源としてのモータ４１の駆動力により、図３９に示すように、第１突起４３が第１孔４４の第１傾斜部５０内を移動して、機器本体３内に挿入されたＣＤ２を保持する又は保持したＣＤ２を機器本体３外に排出する一つの保持トレイ１９の突起２９が案内溝３１の開口部３２に矢印Ｋに対し直交する方向に沿って相対する位置に、駆動シャーシ４２を位置付ける。
【０１２９】
そして、図６、図９及び図２９に示すように、カム部材２４の案内溝３１を、矢印Ｋに対し直交する方向に沿って、前述した一つの保持トレイ１９の突起２９と相対させる。なお、図６、図９及び図２９では、図中上から四つ目の保持トレイ１９の突起２９とカム部材２４に設けられた案内溝３１とを相対させている。
【０１３０】
そして、モータ２０の駆動力により、回転部材２５と移動部材２６及びカム部材２４を一体に回転させる。そして、すべての保持トレイ１９の突起２９が、連結壁２８から徐々に離れる。すると、図３０に示すように、前述した一つの保持トレイ１９の突起２９が、案内溝３１の開口部３２に侵入する。さらに、前述した他の保持トレイ１９の突起２９が、カム部材２４のくさび部３０に接触するとともに、くさび部３０などにより、第１及び第２離間溝３９，４０内を移動する。
【０１３１】
さらに、モータ２０の駆動力により、回転部材２５と移動部材２６及びカム部材２４を一体に回転させると、図１０及び図３１に示すように、前述した一つの保持トレイ１９の突起２９が、案内溝３１のローディング部３３内に位置する。さらに、前述した他の保持トレイ１９の突起２９が、カム部材２４のくさび部３０により第１離間溝３９及び第２離間溝４０の奥即ち連結壁２８から離れた側に移動する。
【０１３２】
そして、図１０及び図３１に示すように、カム部材２４のくさび部３０に設けられた案内溝３１により、前述した一つの保持トレイ１９がローディング位置に位置決めされる。さらに、カム部材２４のくさび部３０と移動シャーシ１８及び第２壁２７とにより即ち第１及び第２離間溝３９，４０により、前述した一つの保持トレイ１９を他の保持トレイ１９から離す。さらに、第１及び第２離間溝３９，４０により、他の保持トレイ１９を位置決めする。
【０１３３】
そして、駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。ＣＤ２を挿入する際には、ＣＤ２がローラ１４から離れた後アーム本体９２の一端部９２ａでＣＤ２を押し込む。ＣＤ２を排出する際には、図示しないＥＪアームでＣＤ２を挿入口１０に向かって押し出して、ローラ１４にくわえ込ませる。前述したＣＤ２の出し入れを停止する際には、ローラ１４の回転を停止するとともに、モータ２０の駆動力により、回転部材２５と移動部材２６及びカム部材２４を先ほどと逆向きに回転する。
【０１３４】
前述したように、カム部材２４を矢印Ｋに沿って移動することで、第１離間溝３９の溝幅と第２離間溝４０の溝幅とを連動して拡縮することで、所望の保持トレイ１９をローディング位置に位置決めするとともに他の保持トレイ１９から離す。例えば、図３２に示すように、図中上から二番目の保持トレイ１９をローディング位置に位置付ける際や、図３３に示すように、図中下から二番目の保持トレイ１９をローディング位置に位置付ける際も同様である。なお、図３２及び図３３に示す状態では、図４０及び図４１に示すように、第２突起４５が第２平行部５２内に位置するとともに、第１突起４３が、第１傾斜部５０内に位置する。
【０１３５】
さらに、前述した構成のＣＤチェンジャ１は、特に、操作部などに命令により、ＣＤ２を機器本体３内に挿入して任意に選択された一つの保持トレイ１９に保持させる際には、図２８に示すように、カム部材２４を回転部材２５の第２壁２７ａに最も近づけて、移動シャーシ１６の案内機構９１を最も第２壁２７ａ即ち底板１１寄りに位置付けておく。前述した構成の案内機構９１は、挿入口１０を通してＣＤ２を出し入れしていない状態では、図４２に示すように、コイルばね９５の付勢力により、案内部９４即ち一対の案内突起９６が内縁８５ａより機器本体３の外側に位置している。ただし、案内機構９１のアーム−本体９２の一端部９２ａは、ＣＤ２を外径から隙間をあけて外側にロードフレーム１００に取り付けられたレバーのカムにて位置付けられる。
【０１３６】
そして、機器本体３内に挿入されたＣＤ２を保持する一つの保持トレイ１９の突起２９を案内溝３１に矢印Ｋに対し直交する方向に沿って相対させる。すると、案内機構９１の一対の案内突起９６間が、挿入口１０を通して機器本体３内に挿入されるＣＤ２の移動方向に沿って前述した一つの保持トレイ１９の保持部８４上と並ぶ。
【０１３７】
そして、モータ２０の駆動力により、回転部材２５と移動部材２６及びカム部材２４を一体に回転させると、前述した一つの保持トレイ１９の突起２９が、案内溝３１のローディング部３３内に位置する。さらに、前述した他の保持トレイ１９の突起２９が、カム部材２４のくさび部３０により第１離間溝３９及び第２離間溝４０の奥即ち連結壁２８から離れた側に移動する。こうして、保持トレイ１９を位置決めする。
【０１３８】
そして、アーム本体９２を駆動するロードフレーム１００に取り付けられたレバーが動き、アーム本体９２はコイルばね９５に付勢されて時計方向に回動する。ただし、アーム本体９２は、コイルばね９５により時計方向に付勢されながらも反時計方向に回動自在となっている。そして、モータ４１の駆動力によりローラ１４がＣＤ２を機器本体３内に挿入する方向に回転する。ローラ１４が回転することで、挿入口１０を通して機器本体３内にＣＤ２が徐々に挿入される。挿入口１０を通して機器本体３内にＣＤ２が挿入されると、図４３に示すように、当接部９３にＣＤ２が当接する。そして、ＣＤ２が機器本体３の奥に侵入するにしたがって、コイルばね９５の付勢力に抗して、アーム本体９２が矢印Ｃ１に沿って回転する。
【０１３９】
すると、図４４に示すように、案内部９４即ち一対の案内突起９６が、フランジ部８５の内縁８５ａより機器本体３の内側に突出する。すると、図１６ないし図１８に示すように、案内機構９１は、一対の案内突起９６間に第２の係止部材８２即ち保持トレイ１９のトレイ本体８０の他端部８０ｂを位置付ける。即ち、案内機構９１の一対の案内突起９６は、第２の係止部材８２即ち他端部８０ｂを互いの間に挟む。
【０１４０】
更にＣＤ２が機器本体３内に挿入されると、図４７に示すように、一対の案内突起９６間にＣＤ２の外縁部が侵入する。そして、ＣＤ２は、一対の案内突起９６により、保持トレイ１９の保持部８４上に案内される。こうして、一対の案内突起９６、案内部９４則ち案内機構９１は、挿入口１０を通してＣＤ２を機器本体３内に挿入する際に、機器本体３内に挿入されたＣＤ２を保持トレイ１９に案内する。
【０１４１】
そして、係止部材８１，８２，８３がＣＤ２の外縁部に係止して、保持トレイ１９は、保持部８４上にＣＤ２を保持する。図４５に示すように、ＣＤ２の保持トレイ１９への保持が完了した後、アーム本体９２を駆動するロードフレーム１００に取り付けられたレバーが動き、アーム本体９２がその両端部９２ａ，９２ｂとＣＤ２の外径に隙間を保つように位置付けられる。こうして、保持トレイ１９にＣＤ２が保持された状態では、一対の案内突起９６則ち案内部９４及び当接部９３は、内縁８５ａより内側に突出せずに、保持トレイ１９が矢印Ｋに沿って移動することを妨げない（移動することを許容する）。このように、挿入口１０を通して機器本体３にＣＤ２が挿入されるのに連動してアーム本体９２が回転して、案内部９４がフランジ部８５の内縁８５ａより機器本体３の内側に突出する。
【０１４２】
本実施例によれば、案内機構９１が、機器本体３内に挿入されたＣＤ２を保持トレイ１９に案内する。このため、保持トレイ１９を小型化して挿入口１０と保持トレイ１９との間隔が拡がっても、ＣＤ２を保持トレイ１９に確実に案内でき、該保持トレイ１９で確実に保持できる。
【０１４３】
案内機構９１は、保持トレイ１９のフランジ部８５の内縁８５ａより内側に突出する案内部９４を備え、この案内部９４でＣＤ２を保持トレイ１９に案内する。案内機構９１の案内部９４の一対の案内突起９６が、互いの間にＣＤ２を位置付けかつＣＤ２の表面に直交（交差）する方向に沿って間隔をあけている。さらに、案内突起９６がＣＤ２の外縁部と、ＣＤ２の表面に直交（交差）する方向に沿って間隔をあけている。このため、案内部９４則ち案内機構９１は、案内突起９６間にＣＤ２を位置付けることで、このＣＤ２を確実に保持トレイ１９に案内できる。したがって、保持トレイ１９を小型化して挿入口１０と保持トレイ１９との間隔が拡がっても、ＣＤ２を保持トレイ１９でより確実に保持できる。
【０１４４】
テーパ面９７により案内突起９６間の間隔が挿入口１０に向かうにしたがって、徐々に拡がっている。このため、挿入口１０を通して挿入されたＣＤ２と案内機構９１の案内突起９６とが位置ずれしても、図４６に示すように、テーパ面９７にＣＤ２が当接する。そして、テーパ面９７により一対の案内突起９６間にＣＤ２が案内される。このため、一対の案内突起９６即ち案内機構９１は、ＣＤ２を保持トレイ１９に確実に案内できる。したがって、保持トレイ１９を小型化して挿入口１０と保持トレイ１９との間隔が拡がっても、ＣＤ２を保持トレイ１９でより確実に保持できる。
【０１４５】
案内突起９６が、互いの間に保持トレイ１９のトレイ本体８０の他端部８０ｂ及びこの他端部８０ｂに取り付けられた第２の係止部材８２を位置付けるので、案内機構９１の案内部９４と、保持トレイ１９とが相対的に位置決めされる。これにより、一対の案内突起９６即ち案内機構９１は、ＣＤ２を保持トレイ１９に確実に案内できる。したがって、保持トレイ１９を小型化して挿入口１０と保持トレイ１９との間隔が拡がっても、ＣＤ２を保持トレイ１９でより確実に保持できる。
【０１４６】
中央部を中心として回転自在に設けられたアーム本体９２の一端部９２ａに当接部９３が設けられ、アーム本体９２の他端部９２ｂに案内部９４即ち一対の案内突起９６が設けられている。このため、挿入されたＣＤ２が当接部９３に当接して、案内部９４がフランジ部８５の内縁８５ａより内側に突出する方向にアーム本体９２が回転する。このため、ＣＤ２を機器本体３に挿入すると、案内部９４が確実にＣＤ２を保持トレイ１９に案内できる。
【０１４７】
任意に選択されたＣＤ２を保持した保持トレイ１９の突起２９を案内溝３１に係合させる。選択された保持トレイ１９の矢印Ｋ１側（上方）の他の保持トレイ１９の突起２９を第１離間溝３９に係合させ、かつ矢印Ｋ２側（下方）の他の保持トレイ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。
【０１４８】
また、離間溝拡縮機構２１により、第１及び第２離間溝３９，４０の溝幅が互いに連動して（相対的に）変化するとともに、第１離間溝３９の溝幅と第２離間溝４０の溝幅の和が保持トレイ１９の数から１を引いて得られた数と突起２９の幅との積に略等しい。このため、がたつくことなく、前述した選択されたＣＤ２を保持した保持トレイ１９と、他の保持トレイ１９を位置決めできる。
【０１４９】
このため、コイルばねを設けることなく、離間溝拡縮機構２１が第１及び第２離間溝３９，４０の溝幅を連動して（相対的に）変化することで、選択された任意のＣＤ２を保持した保持トレイ１９を、他の保持トレイ１９から離すことができる。これにより、ＣＤチェンジャ１が自動車などに搭載されて、走行中などの振動が作用しても、保持トレイ１９が振動することを防止できる。したがって、確実に任意に選択されたＣＤ２を保持した保持トレイ１９を確実に再生位置に位置付けることができる。自動車などに搭載されて、走行中などの振動が作用しても、任意に選択されたＣＤ２の情報を確実に再生することができる。
【０１５０】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７とカム部材２４のくさび部３０との間が第２離間溝４０を形成し、カム部材２４のくさび部３０に案内溝３１が形成されている。
【０１５１】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持した保持トレイ１９の位置に応じて、カム部材２４がスライドする。したがって、確実に任意に選択されたＣＤ２を保持した保持トレイ１９を確実に再生位置に位置付けることができる。
【０１５２】
カム部材２４と光ピックアップ６６とが一体に（連動して）移動するので、カム部材２４と光ピックアップ６６との相対的な位置が常に一定に保たれる。このため、カム部材２４に設けられた案内溝３１により再生位置に位置決めされた保持トレイ１９に保持されたＣＤ２から光ピックアップ６６で情報を確実に再生することができる。
【０１５３】
ＣＤ２から情報を読み出す際には、移動部材２６を矢印Ｋ１側に移動させて、選択された情報を再生するＣＤ２を保持した保持トレイ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。
【０１５４】
また、ＣＤ２を出し入れする際には、カム部材２４を矢印Ｋ２側に移動させて、このカム部材２４の位置と出し入れするＣＤ２に対応した保持トレイ１９の位置に応じて、移動部材２６をスライドさせる。このため、機器本体３に出し入れされるＣＤ２を保持する又は保持した保持トレイ１９と機器本体３との相対的な位置を一定に保つことができる。このため、ＣＤ２を挿入口１０内を通して確実に出し入れすることができるとともに、機器本体３内に挿入されたＣＤ２を保持トレイ１９に確実に保持できる。
【０１５５】
また、連動移動機構２２により、保持トレイ１９を収容位置と再生位置とに亘って移動することと、保持トレイ１９をローディング位置に位置決めすることを一連の動作で行うことができる。このため、部品点数の削減とコストの低減を図ることができる。さらに、保持トレイ１９を収容位置と再生位置とに亘って移動する状態とＣＤ２を出し入れする状態とをスムーズに切り換えることができる。
【０１５６】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１５７】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１６即ちカム部材２４が、スライドせずに、位置決めされる。さらに、ＣＤ２を出し入れする際には、ディスク収容部６の移動シャーシ１８と移動部材２６即ち保持トレイ１９が、矢印Ｋに沿って移動する。
【０１５８】
このため、機器本体３に出し入れされるＣＤ２を保持する又は保持した保持トレイ１９と機器本体３との相対的な位置を一定に保つことができる。したがって、挿入口１０内を通して、ＣＤ２を確実に出し入れすることができるとともに、機器本体３内に挿入したＣＤ２を保持トレイ１９に確実に保持できる。
【０１５９】
保持トレイ１９を収容位置と再生位置とに亘って移動する際には、第１突起４３が第１平行部４９内を移動し、第２突起４５が第２傾斜部５１内を移動する。これにより、保持トレイ１９を収容位置と再生位置とに亘って移動する際には、ディスク収容部６の移動シャーシ１８と移動部材２６即ち保持トレイ１９を、スライドせずに位置決めできる。さらに、保持トレイ１９を収容位置と再生位置とに亘って移動する際には、ディスク再生部５の移動シャーシ１６即ちカム部材２４が、矢印Ｋに沿って移動する。
【０１６０】
このため、ＣＤ２から情報を読み出す際には、任意のＣＤ２を再生位置に確実に位置決めすることができる。したがって、任意のＣＤ２から情報を読み出して再生できる。
【０１６１】
移動部材２６が円管状に形成され、カム部材２４が円管状に形成されている。移動シャーシ１８と第２壁２７ｂは移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、保持トレイ１９を収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。
【０１６２】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。
【０１６３】
前述した実施例では、ディスク形記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。
【０１６４】
また、前述した実施例では、付勢手段としてコイルばね９５を用いている。しかしながら、本発明では、付勢手段として種々のばねやゴムなどの周知の弾性体を用いても良い。さらに、前述した実施例では、一対の案内突起９６間に第２の係止部材８２を位置付けている。しかしながら、本発明では、一対の案内突起９６間に第１及び第３の係止部材８１，８３を位置付けても良く、一対の案内突起９６間に保持トレイ１９のトレイ本体８０の端部８０ａ，８０ｂなどの一部分を直接位置付けても良い。
【０１６５】
前述した実施例では、案内突起９６を一対設けている。しかしながら、本発明では、案内突起９６を少なくとも一つ設ければ良い。また、前述した実施例では、当接部９３にＣＤ２が当接することで、案内部９４がフランジ部８５の内縁８５ａより内側に突出する。しかしながら、本発明では、カム機構などの他の機構などを用いて、ＣＤ２を挿入するのに連動して、案内部９４がフランジ部８５の内縁８５ａより内側に突出するようにしても良い。
【０１６６】
また、前述した実施例では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。
【０１６７】
さらに、前述した実施例では、カム部材２４と光ピックアップ６６とを一体に移動している。しかしながら、本発明では、カム部材２４と光ピックアップ６６とを必ずしも一体に移動しなくても良い。要するに、本発明では、カム部材２４と光ピックアップ６６とを連動させて移動することで、これらの相対的な位置間隔を一定に保つことができれば良い。
【０１６８】
また、前述した実施例では、連動移動機構２２により、カム部材２４の移動と、移動部材２６の移動とを、一つの駆動源により行えるようにしている。しかしながら、本発明では、カム部材２４の移動と、移動部材２６の移動とを、互いに独立した駆動源により行っても良い。
【０１６９】
前述した実施例によれば、以下のＣＤチェンジャ１が得られる。
【０１７０】
（付記１）  ＣＤ２を通す挿入口１０を設けた機器本体３と、
前記機器本体３内に設けられかつ前記ＣＤ２を保持する保持トレイ１９と、を備えたＣＤチェンジャ１において、
前記挿入口１０を通して前記ＣＤ２を機器本体３内に挿入する際に、機器本体３内に挿入されたＣＤ２を前記保持トレイ１９に案内する案内機構９１を備えたことを特徴とするＣＤチェンジャ１。
【０１７１】
（付記２）  前記保持トレイ１９は、前記ＣＤ２を保持すると、このＣＤ２の外縁と当接する内縁８５ａを備え、
前記案内機構９１は、前記挿入口１０を通して前記ＣＤ２を機器本体３内に挿入する際に、前記内縁８５ａより機器本体３の内側に突出して、前記ＣＤ２を前記保持トレイ１９に案内する案内部９４を備えたことを特徴とする付記１記載のＣＤチェンジャ１。
【０１７２】
（付記３）  前記案内部９は、前記ＣＤ２を前記保持トレイ１９に案内する際に、前記ＣＤ２の外縁部と、このＣＤ２の表面に対し交差する方向に沿って間隔をあけて配された案内突起９６を備えたことを特徴とする付記２記載のＣＤチェンジャ１。
【０１７３】
（付記４）  前記案内部９４は、前記ＣＤ２の中央に向かうにしたがって、前記ＣＤ２の表面から徐々に離れるテーパ面９７を備えたことを特徴とする付記３記載のＣＤチェンジャ１。
【０１７４】
（付記５）  前記案内機構９１は、前記ＣＤ２を前記保持トレイ１９に案内する際に、前記案内部９４が前記ＣＤ２を前記保持トレイ１９に案内可能な位置に、前記案内部９４と前記保持トレイ１９とを位置決めする位置決め手段を備えたことを特徴とする付記３又は付記４に記載のＣＤチェンジャ１。
【０１７５】
（付記６）  前記案内機構９１は、機器本体３に回動自在に設けられたアーム本体９２と、
前記アーム本体９２の他端部９２ｂに設けられた前記案内部９４とを備え、
前記挿入口１０を通して前記機器本体３に前記ＣＤ２が挿入されるのに連動して、前記案内部９４が前記内縁８５ａより機器本体３の内側に突出することを特徴とする付記２乃至付記６のいずれか一項に記載のＣＤチェンジャ１。
【０１７６】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004415012.tif 000002
【図２】
0004415012.tif 000003
【図３】
0004415012.tif 000004
【図４】
0004415012.tif 000005
【図５】
0004415012.tif 000006
【図６】
0004415012.tif 000007
【図７】
0004415012.tif 000008
【図８】
0004415012.tif 000009
【図９】
0004415012.tif 000010
【図１０】
0004415012.tif 000011
【図１１】
0004415012.tif 000012
【図１２】
0004415012.tif 000013
【図１３】
0004415012.tif 000014
【図１４】
0004415012.tif 000015
【図１５】
0004415012.tif 000016
【図１６】
0004415012.tif 000017
【図１７】
0004415012.tif 000018
【図１８】
0004415012.tif 000019
【図１９】
0004415012.tif 000020
【図２０】
0004415012.tif 000021
【図２１】
0004415012.tif 000022
【図２２】
0004415012.tif 000023
【図２３】
0004415012.tif 000024
【図２４】
0004415012.tif 000025
【図２５】
0004415012.tif 000026
【図２６】
0004415012.tif 000027
【図２７】
0004415012.tif 000028
【図２８】
0004415012.tif 000029
【図２９】
0004415012.tif 000030
【図３０】
0004415012.tif 000031
【図３１】
0004415012.tif 000032
【図３２】
0004415012.tif 000033
【図３３】
0004415012.tif 000034
【図３４】
0004415012.tif 000035
【図３５】
0004415012.tif 000036
【図３６】
0004415012.tif 000037
【図３７】
0004415012.tif 000038
【図３８】
0004415012.tif 000039
【図３９】
0004415012.tif 000040
【図４０】
0004415012.tif 000041
【図４１】
0004415012.tif 000042
【図４２】
0004415012.tif 000043
【図４３】
0004415012.tif 000044
【図４４】
0004415012.tif 000045
【図４５】
0004415012.tif 000046
【図４６】
0004415012.tif 000047
【図４７】
0004415012.tif 000048